(57)【要約】      （修正有）【課題】各時間帯や各日にちに必要な人数が確保されているか否かが視覚的に分かる勤務情報管理装置を提供する。【解決手段】データを入力するキーボード１１と、社員の個人情報を記憶する第１記憶部２１と、各社員毎に対応する勤務時間を記憶する第２記憶部２２と、第３記憶部２３と、キーボード１１によって入力される勤務時間帯に対する人数の割付条件と第１，第２記憶部２１，２２に記憶されたデータとに基づいて各日にちごとに勤務する社員の割り振りを行って第３記憶部２３に記憶させる演算処理手段１２と、第１，第２，第３憶部２１〜２３に記憶されたデータの内容を表示するディスプレイ１３とを備え、第３記憶部２３に記憶された社員の割振情報に基づいて、一日における各社員の勤務時間帯を棒グラフで作成してディスプレイ１３に表示するとともに、各時間ごとに予め決められた必要な人数以下となる時間帯があるとき、その時間帯を色分け表表示する。【選択図】  図１
2007102470.tif 000002
【特許請求の範囲】
【請求項１】
データを入力する入力手段と、この入力手段によって入力される社員の個人情報を記憶する第１記憶部と、前記入力手段によって入力される各社員毎に対応する勤務時間を記憶する第２記憶部と、第３記憶部と、前記入力手段によって入力される勤務時間帯に対する人数の割付条件と第１，第２記憶部に記憶されたデータとに基づいて各日にちごとに勤務する社員の割り振りを行って前記第３記憶部に記憶させる演算処理手段と、前記第１，第２，第３記憶部に記憶されたデータの内容を表示する表示手段とを備えた勤務情報管理装置であって、
前記第３記憶部に記憶された社員の割振情報に基づいて、一日における各社員の勤務時間帯を棒グラフで作成して表示手段に表示するとともに、各時間ごとに予め決められた必要な人数以下となる時間帯があるとき、その時間帯を識別可能に表示することを特徴とする勤務情報管理装置。
【請求項２】
データを入力する入力手段と、この入力手段によって入力される社員の個人情報を記憶する第１記憶部と、前記入力手段によって入力される各社員の出勤日を記憶する第２記憶部と、第１，第２記憶部に記憶されたデータの内容を表示する表示手段と、演算処理手段とを備えた勤務情報管理装置であって、
前記演算処理手段は、所定期間内における各社員の出勤日を棒グラフで作成して表示手段に表示するとともに、各日にちごとに予め決められた必要な人数以下となる日があるとき、その日を識別可能に表示することを特徴とする勤務情報管理装置。
【発明の詳細な説明】
【技術分野】
【０００１】
この発明は、勤務時間表や勤務日程表を棒グラフで示す勤務情報管理装置に関する。
【背景技術】
【０００２】
従来から、個人別に勤務時間帯を棒グラフで表示する勤務情報管理装置が知られている（特許文献１参照）。
【０００３】
かかる勤務情報管理装置は、勤務者の勤務予定時間を入力すると、各勤務者の数日分の勤務予定時間を棒グラフにして表示部に表示し、勤務時間帯を視覚的に分かり易くしたものである。
【特許文献１】特開平９−１６１１１３号公報
【発明の開示】
【発明が解決しようとする課題】
【０００４】
しかしながら、このような勤務情報管理装置にあっては、各勤務者の勤務時間帯は視覚的に分かり易いが、各時間帯に必要な人数が確保されているか否かが分かりづらいという問題があった。
【０００５】
この発明の目的は、各時間帯や各日にちに必要な人数が確保されているか否かが視覚的に分かる勤務情報管理装置を提供することにある。
【課題を解決するための手段】
【０００６】
請求項１の発明は、データを入力する入力手段と、この入力手段によって入力される社員の個人情報を記憶する第１記憶部と、前記入力手段によって入力される各社員毎に対応する勤務時間を記憶する第２記憶部と、第３記憶部と、前記入力手段によって入力される勤務時間帯に対する人数の割付条件と第１，第２記憶部に記憶されたデータとに基づいて各日にちごとに勤務する社員の割り振りを行って前記第３記憶部に記憶させる演算処理手段と、前記第１，第２，第３記憶部に記憶されたデータの内容を表示する表示手段とを備えた勤務情報管理装置であって、
前記第３記憶部に記憶された社員の割振情報に基づいて、一日における各社員の勤務時間帯を棒グラフで作成して表示手段に表示するとともに、各時間ごとに予め決められた必要な人数以下となる時間帯があるとき、その時間帯を識別可能に表示することを特徴とする。
【０００７】
請求項２の発明は、データを入力する入力手段と、この入力手段によって入力される社員の個人情報を記憶する第１記憶部と、前記入力手段によって入力される各社員の出勤日を記憶する第２記憶部と、第１，第２記憶部に記憶されたデータの内容を表示する表示手段と、演算処理手段とを備えた勤務情報管理装置であって、
前記演算処理手段は、所定期間内における各社員の出勤日を棒グラフで作成して表示手段に表示するとともに、各日にちごとに予め決められた必要な人数以下となる日があるとき、その日を識別可能に表示することを特徴とする。
【発明の効果】
【０００８】
この発明によれば、予め決められた必要な人数以下となる時間帯や日にちがあると、その時間帯やその日が識別可能に表示されるので、各時間帯や各日にちに必要な人数が確保されているか否かが視覚的に分かる。
【発明を実施するための最良の形態】
【０００９】
以下、この発明に係わる勤務情報管理装置の実施の形態である実施例を図面に基づいて説明する。
【実施例】
【００１０】
図１はパーソナルコンピュータなどから構成される勤務情報管理装置１０の構成を示したブロック図である。図１において、１１はデータを入力するキーボード（入力手段）、２０はキーボード入力手段によって入力されたデータや勤務表などを作成する際に必要な表データ等を記憶した記憶手段であり、この記憶手段２０は第１〜第４記憶部２１〜２４を有している。１２は入力されたデータや記憶手段２０に記憶されているデータなどに基づいて勤務表や棒グラフなどを作成する演算処理手段、１３は演算処理手段１２によって作成された勤務表や棒グラフや記憶手段に記憶されたデータなどを表示するディスプレイ（表示手段）である。
【００１１】
次に、この勤務情報管理装置１０の動作を図７に示すフロー図を参照しながら説明する。
【００１２】
先ず、ディスプレイ１３に図２に示す社員マスタ画面３０を表示させる。このマスタ画面３０の左側の各項目の欄に必要なデータ（個人情報）を入力していく（ステップ１）。例えば、マシン番号の項目欄３１にタイムレコーダのマシン番号、カード番号の項目欄３２にタイムカードの番号、社員番号の項目欄３３に社員番号、氏名欄３４に社員の氏名、所属グループ名の項目欄３５に所属グループ名（ここでは例えば介護Ａ〜Ｃのいずれか）等を入力する。
【００１３】
これら入力により、表３６の各項目に入力したデータが表示される。必要なデータの入力が終了したら、その表３６とともにその内容を第１記憶部２１に登録させる。
【００１４】
この後に、図３に示す勤務体系マスタ画面４０をディスプレイ１３に表示させる。
【００１５】
ステップ２では、勤務表作成に必要なシフト名称、出勤・退勤時間、残業時間を入力する。この入力はマスタ画面４０の各項目の欄にデータを入力していくことにより行う。例えば、マスタ画面４０のマーク４１をクリックすると、「早番」，「遅番」，「公休」などのシフトの名称が表示部４２に表示され、この表示部４２に表示された名称を選択し、この選択した名称が表示欄４３に表示される。そして、この名称を確定することによりシフト名称を入力するものである。そして、これら入力したデータを第２記憶部２２に登録する。
【００１６】
ステップ３では、シフト割付条件、すなわち早番は１日２人、遅番の翌日は早番勤務なしなどの条件を入力する。この入力により、演算処理手段１２は第１記憶部２１と第２記憶部２２に記憶されたデータに基づいて、勤務シフトの割り振りを行い、この割り振りを行った勤務表５０の画面５１を図４に示すようにディスプレイ１３に表示するとともに第３記憶部２３に登録する（ステップ４）。
【００１７】
画面５１には、勤務表５０の右側に個人毎のシフト回数表５３と、勤務表５０の下側に各シフト毎に対する日毎の割付人数表５４が表示される。
【００１８】
オペレータは、シフト回数表５３と割付人数表５４と必要な人数を示した人数表５５とを見ながら勤務表５０の修正を行う。例えば、必要人数表５５の早番には４名が記載されており、この４名が各日にちに必要な人数であり、オペレータはこの人数（４人）に達していない日にち、例えば８日（日曜日）は早番が３名であり、１名不足しているので、その８日の公休の人を早番に入れて修正するものである。同様にして、人数が不足している１２日，１５日，２１日の修正も行う。
【００１９】
また、必要な人数に達していない日にちは色分け表示され、その日にちが一目で分かるようになっている。
【００２０】
そして、その修正が終わったらその修正した内容を第３記憶部２３に登録する。
【００２１】
この修正の登録の後、勤務人数日毎一覧の作成を選択すると、ステップ５へ進み、ステップ５では、演算処理手段１２は図５に示すように各社員の勤務時間帯を棒グラフで作成してディスプレイ１３に表示する。そして、棒グラフの表６０の下にはそれぞれの時間帯毎に勤務する人数が表示され、その下にはさらにその時間帯に必要な人数（予定人数）が表示されるとともに第４記憶部２４に登録される。ここでは、棒グラフＧは例えば赤色で表示され、その棒グラフの背景は例えば白色である。
【００２２】
そして、必要な人数に満たない時間帯があると、その時間帯は他の色と異なる色で表示される。ここでは、０時から７時までの時間帯は勤務する人がゼロであり、その時間帯の予定人数は１人であることにより、その時間帯は予定人数より少ない。このため、０時から７時までの時間帯は背景の色と異なる例えばクリーム色で表示される。
【００２３】
また、棒グラフＧが示されている時間帯（７時〜２３時）で、予定人数より少ない時間帯があれば、例えば８時から９時までの時間帯が予定人数より少ない場合、図６に示すように、その時間帯の背景をクリーム色で表示する。
【００２４】
このように、人数の足りない時間帯が背景と異なる色で表示されるので、その時間帯が人目で分かる。
【００２５】
このため、図４に示す勤務表５０の再度の修正を速やかに且つ適正に修正することができることになる。
【００２６】
勤務表５０の再度の修正を行う場合には、ステップ６からステップ４へ戻ることになり、修正がない場合には終了することになる。
【００２７】
上記実施例では、必要な人数に満たない時間帯や日にちを色分け表示しているが、これに限らず例えば、柄を変えたり点滅表示や反転表示などで行ってもよい。
【図面の簡単な説明】
【００２８】
【図１】この発明に係わる勤務情報管理装置の構成を示したブロック図である。
【図２】社員マスタ画面の一例を示した説明図である。
【図３】勤務体系マスタ画面の一例を示した説明図である。
【図４】勤務表の一例を示した説明図である。
【図５】棒グラフの表の一例を示した説明図である。
【図６】他の例の棒グラフを示した説明図である。
【図７】勤務情報管理装置の処理動作を示したフロー図である。
【符号の説明】
【００２９】
１０              勤務情報管理装置
１１              キーボード（入力手段）
１２              演算処理手段
１３              ディスプレイ（表示手段）
２１              第１記憶部
２２              第２記憶部
２３              第３記憶部
【図１】
2007102470.tif 000003
【図２】
2007102470.tif 000004
【図３】
2007102470.tif 000005
【図４】
2007102470.tif 000006
【図５】
2007102470.tif 000007
【図６】
2007102470.tif 000008
【図７】
2007102470.tif 000009